(57)【特許請求の範囲】
【請求項１】
枠台の上部に回転部が押え板で水平方向に回転自在に設けられ、前記回転部に灯具が設けられ、
前記枠台または押え板に支軸を介してアームが起立可能に取り付けられるとともに、前記アームの先端に端子台が設けられ、
前記回転部に、前記アームの起立時に前記アームが収まる凹部が設けられ、
施工時に、前記アームを起立させて前記凹部に収めた状態にし、
施工後に前記アームが自重で水平に倒れて前記凹部から抜け出し、
この状態で、前記回転部を回転させて前記凹部の位置をずらすことにより、前記アームの起立を防ぐように構成したことを特徴とする照明器具。
【請求項２】
前記凹部の位置を確認する目印が設けられたことを特徴とする請求項１記載の照明器具。
【発明の詳細な説明】
【技術分野】
【０００１】
本発明は、枠台の上部に回転部が回転自在に設けられ、枠台または押え板にアームが取り付けられ、アームの先端に端子台が設けられた照明器具に関するものである。
【背景技術】
【０００２】
従来の埋込型の照明器具は、枠台の上部に回転部が押え板で水平方向に回転自在に設けられ、この回転部に灯具が設けられている。よって、灯具は、回転部を介して水平方向に回転可能に支持されている。
この照明器具は、枠台から横方向に板ばね製のアームが延出され、このアームの先端に端子台が設けられている。
【０００３】
この照明器具を天井に取り付ける施工の際には、まず、横向き（水平）のアームを弾性変形させて縦向きに立ち上げる。
つぎに、天井の取付開口に照明器具を差し込み、その後、アームをばね力で横向き（水平）に復帰させる。アームを横向きに復帰させた後、端子台に接続された外部電線を他の器具に接続する。
【０００４】
しかし、アームは板ばねで形成されているため、端子台に接続された外部電線を他の器具に接続する際に引っ張られると、アームが弾性変形して外部電線が灯具の高温部に近接したり、弾性変形したアームで灯具の回転を阻害するなどの問題があった。
【０００５】
この問題を解消する照明器具として、アームを鋼板で形成したものが知られている。
アームを鋼板で形成することで、端子台に接続された外部電線を他の器具に接続する際に、アームが外部電線に引っ張られて弾性変形することを防ぐことができる。
よって、外部電線が灯具の高温部に近接したり、弾性変形したアームで灯具の回転を阻害することを防ぐことができる。
【０００６】
ここで、照明器具は、アームを鋼板で形成しているので、照明器具を天井に取り付ける施工の際には、まず、照明器具を傾斜させて、天井の取付開口にアームを差し込む。
つぎに、照明器具を鉛直に戻して、枠台を天井の取付開口に差し込む必要がある（例えば、特許文献１参照）。
【特許文献１】特開２００７−１５７６６０号公報
【発明の開示】
【発明が解決しようとする課題】
【０００７】
ところで、照明器具のなかには、灯具が枠台と同軸上に配置されているものがある。この照明器具は、灯具のソケット部が枠台の上方に突出している。
よって、照明器具を傾斜させて、天井の取付開口にアームを差し込む際に、ソケット部が邪魔になり、アームを差し込むことができない。
【０００８】
このため、天井の取付開口に照明器具を取り付ける施工の際に、アームを外してから天井の取付開口に枠台を差し込み、その後、枠台にアームを取り付ける必要があり、施工の際に手間がかかるという問題があった。
【０００９】
本発明は、前述した要望を満たすためになされたもので、その目的は、照明器具を取り付ける施工が容易で、かつ施工完了後に、外部電線が高温部に近接することや灯具の回転を阻害することを防止できる照明器具を提供することにある。
【課題を解決するための手段】
【００１０】
本発明の照明器具は、枠台の上部に回転部が押え板で水平方向に回転自在に設けられ、前記回転部に灯具が設けられ、前記枠台または押え板に支軸を介してアームが起立可能に取り付けられるとともに、前記アームの先端に端子台が設けられ、前記回転部に、前記アームの起立時に前記アームが収まる凹部が設けられ、施工時に、前記アームを起立させて前記凹部に収めた状態にし、施工後に前記アームが自重で水平に倒れて前記凹部から抜け出し、この状態で、前記回転部を回転させて前記凹部の位置をずらすことにより、前記アームの起立を防ぐように構成したことを特徴とする。
【００１１】
枠台または押え板に支軸を介してアームを起立可能に取り付けるとともに、アームの先端に端子台を設けた。また、回転部に、起立したアームが収まる凹部を設けた。
そして、施工の際に、アームを起立させて凹部に収め、施工後にアームが自重で水平に倒れて凹部から抜け出すようにした。
さらに、アームが凹部から抜け出した状態で、回転部を回転させて凹部の位置をずらし、アームが起立することを防ぐようにした。
【００１２】
よって、施工の際に、横向き（水平）のアームを起立させて凹部に収めることで、枠台およびアームを一体のままの状態で施工することができる。
これにより、照明器具を取り付ける施工を容易におこなうことができる。
【００１３】
また、回転部を回転させて凹部の位置をずらすことで、横向き（水平）のアームが起立することを防ぐようにした。
よって、端子台に接続された外部電線を他の器具に接続する際に、アームが外部電線に引っ張られて起立することを防ぐことができる。
これにより、施工完了後に端子台を所定の位置を保持して、外部電線が灯具の高温部に近接したり、起立したアームで灯具の回転を阻害することを防ぐことができる。
【００１４】
また、本発明は、前記凹部の位置を確認する目印が設けられたことを特徴とする。
【００１５】
よって、照明器具を取り外す際に、目印（確認部）を視認することで、凹部をアームに容易に合わせることができる。
これにより、アームを起立させて凹部に収め、照明器具を手間をかけないで簡単に取り外すことができる。
【発明の効果】
【００１６】
本発明の照明器具によれば、アームを起立させて凹部に収め、アームが凹部から抜け出した状態で、回転部を回転させて凹部の位置をずらしてアームが起立することを防ぐようにした。
これにより、照明器具を取り付ける施工が容易で、かつ施工完了後に、外部電線が高温部に近接することや灯具の回転を阻害することを防止できるという効果を有する。
【発明を実施するための最良の形態】
【００１７】
以下、本発明の実施形態に係る照明器具について、図面を参照して説明する。
図１〜図３に示すように、本実施形態の照明器具１０は、天井１１（図１０参照）に埋め込まれた枠台１２と、枠台１２の上部１２Ａに水平方向に回転自在に設けられた回転部１４と、回転部１４を回転自在に押さえ付ける押え板１５と、回転部１４に設けられた灯具１６と、枠台１２または押え板１５に支軸１８を介して起立可能に取り付けられたアーム２０と、アーム２０の先端２０Ａに設けられた端子台２２とを備えている。
【００１８】
枠台１２は、図４〜図５に示すように、周壁２４が円筒状に形成され、上部１２Ａに目印（確認部）としての、枠台切欠２６が形成され、下部１２Ｂに照射用の開口部２７（図３参照）が形成されるとともに張出部２８が形成されている。
【００１９】
この枠台１２は、図１０に示すように、周壁２４が天井１１の取付開口部２９に差し込まれ、張出部２８を天井１１の表面１１Ａに当接した状態で取り付けられている。
また、枠台１２には、照明器具１０を天井１１に埋め込んだ状態に支持する一対の板ばね３１（図１、図３参照）が備えられている。
さらに、図１〜図２に示すように、枠台１２の上部１２Ａには、回転部１４が水平方向に回転自在に設けられている。
【００２０】
図６〜図７に示すように、回転部１４は、枠台１２の上部１２Ａに載置される回転環状部３３と、回転環状部３３から下方に張り出された一対の張出片３４とを備えている。
回転環状部３３は、環状に形成された板材で、外周３３Ａに回転凹部（凹部）３５が形成され、内周３３Ｂのうち、回転凹部３５に対向する部位に目印として、回転切欠３６が形成されている。
【００２１】
一対の張出片３４は、枠台１２の内部に配置され、一対の張出片３４の取付孔３４Ａに、支持軸（図示せず）を介して、図１〜図２に示す灯具１６が鉛直方向に揺動（首振り）自在に設けられている。
灯具１６は、ケーシング３７（図３も参照）内に、光源であるランプ（図示せず）が収容されている。
【００２２】
この回転部１４は、枠台１２の上部１２Ａに、図１〜図２に示すように、押え板１５で回転自在に押さえ付けられている。
押え板１５は、回転環状部３３の上側に配置された押え板環状部４１と、押え板１５に設けられて枠台１２の上部１２Ａに取り付けられた脚部４２とを備えている。
【００２３】
押え板環状部４１は、枠台１２の上部１２Ａとともに回転環状部３３を回転自在に挟持している。
よって、枠台１２の上部１２Ａにおいて、回転部１４を水平方向に回転することができる。
この押え板１５は、図８に示すように、回転部１４の回転凹部３５に対応する部位に押え凹部（凹部）４３が形成されている（図６も参照）。
【００２４】
この押え凹部４３に回転部１４の回転凹部３５を合わせる際には、回転部１４を水平方向に回転させて、回転切欠３６を枠台切欠２６（図４参照）に合わせることで押え凹部４３に回転凹部３５を容易に合わせることができる。
さらに、図８に示すように、押え凹部４３を回転凹部３５に対して一回り大きく形成することで、回転凹部３５を容易に視認することができる。
【００２５】
また、図６に示すように、枠台１２の上部１２Ａには、一対の支持ブラケット４５が設けられている。
一対の支持ブラケット４５の取付孔４５Ａに支軸１８を介してアーム２０の基端２０Ｂが回動自在に支持されている。
【００２６】
すなわち、アーム２０は、一対の支持ブラケット４５に支軸１８を軸に揺動自在に支持されている。
このアーム２０は、例えば、鋼材で断面略コ字状に形成された弾性変形不能な梁状部材であり、回転凹部３５および押え凹部４３に収容可能に形成されている。
【００２７】
アーム２０を手で掴んで回転凹部３５および押え凹部４３に収容させることで、アーム２０を水平位置Ｐ１（図１０参照）から起立位置Ｐ２（図９参照）に起立させることができる。
そして、起立させたアーム２０から手を離すことで、アーム２０を自重で水平に倒して回転凹部３５および押え凹部４３から抜け出させることができる。回転凹部３５および押え凹部４３から抜け出したアーム２０は自重で水平位置Ｐ１に戻る。
【００２８】
図１に示すように、アーム２０の先端２０Ａには端子台２２が設けられ、端子台２２には、他の器具（図示せず）に接続する外部電線４８が接続されている。
【００２９】
つぎに、図９〜図１１に基づいて照明器具１０を天井１１に取り付ける施工例について説明する。
図９に示すように、アーム２０を手で掴んで、図８に示す回転凹部３５および押え凹部４３に収容させて、アーム２０を起立位置Ｐ２に起立させる。さらに、図１に示す一対の板ばね３１を弾性変形させて起立状態に保持する。
【００３０】
この状態で、照明器具１０を天井１１の取付開口部２９に室内側から差し込み、枠台１２の張出部２８を天井１１の表面１１Ａに当接する。
図１に示す一対の板ばね３１がばねの復元力で取付開口部２９に係止することで、照明器具１０を天井１１に埋め込んだ状態に支持する。
【００３１】
このように、施工の際に、横向き（水平）のアーム２０を起立位置Ｐ２に起立させて、図８に示す回転凹部３５および押え凹部４３に収めることで、枠台１２およびアーム２０を一体のままの状態で施工することができる。
これにより、照明器具１０を取り付ける施工を容易におこなうことができる。
【００３２】
そして、起立させたアーム２０から手を離して、アーム２０を自重で水平に倒し、回転凹部３５および押え凹部４３から抜け出させる。
アーム２０を自重で水平に倒すことで、図１０に示すように、水平位置Ｐ１に戻すことができる。
【００３３】
つぎに、図１１に示すように、回転部１４を回転させて回転凹部３５の位置をずらすことによりアーム２０の起立を防ぐようにする。
この状態で、アーム２０の先端２０Ａの端子台２２（図１参照）に、他の器具（図示せず）に接続する外部電線４８を接続する。
【００３４】
このように、回転部１４を回転させて回転凹部３５の位置をずらすことで、水平位置Ｐ１のアーム２０が起立することを防ぐようにした。
よって、端子台２２に接続された外部電線４８を他の器具に接続する際に、アーム２０が外部電線４８に引っ張られて起立することを防ぐことができる。
【００３５】
これにより、施工完了後に端子台２２を所定の位置を保持して、外部電線４８が灯具１６の高温部に近接したり、起立したアーム２０で灯具１６の回転を阻害することを防ぐことができる。
【００３６】
ところで、照明器具１０を取り外す際には、回転部１４を水平方向に回転させて、図７に示す回転切欠３６を、図４に示す枠台切欠２６に合わせることで、押え凹部４３に回転凹部３５を容易に合わせることができる。
【００３７】
加えて、図８に示すように、押え凹部４３が回転凹部３５に対して一回り大きく形成されているので、回転凹部３５が押え凹部４３に合致しているか否かを容易に視認することができる。
これにより、アーム２０を起立させて押え凹部４３および回転凹部３５に収め、照明器具１０を手間をかけないで簡単に取り外すことができる。
【００３８】
なお、本発明の照明器具は、前記実施形態に限定されるものではなく、適宜の変更改良などが可能である。
例えば、前記実施形態においては、照明器具１０を天井１１埋め込む例について説明したが、これに限らないで壁に埋め込むことも可能である。
【００３９】
また、前記実施形態では、枠台１２にアーム２０を支軸１８を介して揺動自在に設けた例について説明したが、これに限らないで、押え板１５にアーム２０支軸１８を介して揺動自在に設けることも可能である。
【００４０】
さらに、前記第１〜第３の実施形態で示した枠台１２、回転部１４、押え板１５、灯具１６、アーム２０、端子台２２、回転凹部３５、押え凹部４３、枠台切欠２６、回転切欠２６などの形状は例示したものに限定するものではなく適宜変更が可能である。
【図面の簡単な説明】
【００４１】
【図１】本発明に係る照明器具を斜め上方から見た状態を示す斜視図である。
【図２】本発明に係る照明器具を側方から見た状態を示す斜視図である。
【図３】本発明に係る照明器具を斜め下方から見た状態を示す斜視図である。
【図４】本発明に係る照明器具の枠台を示す斜視図である。
【図５】本発明に係る照明器具の枠台を示す平面図である。
【図６】本発明に係る照明器具の枠台にアームを支持した状態を示す側面図である。
【図７】本発明に係る照明器具の回転部を示す斜視図である。
【図８】本発明に係る照明器具の回転凹部および押え凹部の関係を示す斜視図である。
【図９】本発明に係る照明器具のアームを起立位置に配置して天井に取り付ける状態を示す断面図である。
【図１０】本発明に係る照明器具のアームを水平位置に配置して天井に取り付けた状態を示す断面図である。
【図１１】本発明に係る照明器具の回転凹部をずらした状態を示す断面図である。
【符号の説明】
【００４２】
１０  照明器具
１２  枠台
１２Ａ  枠台の上部
１４  回転部
１５  押え板
１６  灯具
１８  支軸
２０  アーム
２０Ａ  アームの先端
２２  端子台
２６  枠台切欠（目印）
３５  回転凹部（凹部）
３６  回転切欠（目印）
４３  押え凹部（凹部）
【図１】
0004990807.tif 000002
【図２】
0004990807.tif 000003
【図３】
0004990807.tif 000004
【図４】
0004990807.tif 000005
【図５】
0004990807.tif 000006
【図６】
0004990807.tif 000007
【図７】
0004990807.tif 000008
【図８】
0004990807.tif 000009
【図９】
0004990807.tif 000010
【図１０】
0004990807.tif 000011
【図１１】
0004990807.tif 000012